【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  対象画像に対して周波数処理を施す画像処理装置であって、
対象画像から高周波係数を取得する高周波係数取得手段と、
対象画像を構成する画素値に基づいて、上記高周波係数取得手段で得られた高周波係数を変換する高周波係数変換手段と、
上記高周波係数変換手段による変換後の高周波係数に基づいて、対象画像の処理後画像を取得する処理画像取得手段とを備えることを特徴とする画像処理装置。
【請求項２】  対象画像の高周波係数を変更するための複数の係数パターンの中から任意の係数パターンを選択する選択手段を備え、
上記高周波係数変換手段は、上記選択手段で選択された係数パターンに基づいて、上記高周波係数の変換処理を行うことを特徴とする請求項１記載の画像処理装置。
【請求項３】  上記複数の係数パターンを表示する表示手段を備えることを特徴とする請求項２記載の画像処理装置。
【請求項４】  対象画像を解析する解析手段を備え、
上記高周波係数変換手段は、上記解析手段の解析結果に基づいて、上記高周波係数の変換処理を行うことを特徴とする請求項１記載の画像処理装置。
【請求項５】  上記解析手段は、上記解析結果に基づいて、対象画像の高周波係数を変更するための係数パターンを生成し、
上記高周波係数変換手段は、上記解析手段により得られた係数パターンに基づいて、上記高周波係数の変換処理を行うことを特徴とする請求項４記載の画像処理装置。
【請求項６】  上記解析手段は、複数の係数パターンから選択された任意の係数パターンを変更することで、上記高周波係数変換手段で用いる係数パターンを生成することを特徴とする請求項５記載の画像処理装置。
【請求項７】  上記高周波係数変換手段で用いる係数パターンを調整する調整手段を備えることを特徴とする請求項２又は５記載の画像処理装置。
【請求項８】  上記調整手段は、高周波係数の強弱の調整、及び鮮鋭度を変更する領域の調整の少なくとも何れかを含む調整を行うことを特徴とする請求項７記載の画像処理装置。
【請求項９】  上記高周波係数変換手段で用いる係数パターンは、周波数帯毎の係数パターンを含むことを特徴とする請求項２又は５記載の画像処理装置。
【請求項１０】  対象画像は、放射線撮影により得られた画像を含むことを特徴とする請求項１記載の画像処理装置。
【請求項１１】  複数の機器が互いに通信可能に接続されてなる画像処理システムであって、
上記複数の機器のうち少なくとも１つの機器は、請求項１〜１０の何れか１項に記載の画像処理装置の機能を有することを特徴とする画像処理システム。
【請求項１２】  対象画像に対して周波数処理を施すための画像処理方法であって、
対象画像から高周波係数を取得する高周波係数取得ステップと、
対象画像を構成する画素値に基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとを含むことを特徴とする画像処理方法。
【請求項１３】  対象画像に対して周波数処理を施すための画像処理方法であって、
対象画像の高周波係数を変更するための係数パターンを表示する表示ステップと、
上記表示ステップにより表示された係数パターンの中から任意の係数パターンを選択する選択ステップと、
対象画像から高周波係数を取得する高周波係数取得ステップと、
上記選択ステップにより選択された係数パターンに基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとを含むことを特徴とする画像処理方法。
【請求項１４】  対象画像に対して周波数処理を施すための画像処理方法であって、
対象画像の高周波係数を変更するための係数パターンを表示する表示ステップと、
上記表示ステップにより表示された係数パターンの中から任意の係数パターンを選択する選択ステップと、
対象画像の解析結果に基づいて、上記選択ステップにより選択された係数パターンを変更する解析ステップと、
対象画像から高周波係数を取得する高周波係数取得ステップと、
上記解析ステップにより得られた係数パターンに基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとを含むことを特徴とする画像処理方法。
【請求項１５】  対象画像に対して周波数処理を施すための画像処理方法であって、
対象画像の解析結果に基づいて、対象画像の高周波係数を変更するための係数パターンを変更する解析ステップと、
対象画像から高周波係数を取得する高周波係数取得ステップと、
上記解析ステップにより得られた係数パターンに基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとを含むことを特徴とする画像処理方法。
【請求項１６】  上記高周波係数変換ステップで用いる係数パターンを調整する調整ステップを含むことを特徴とする請求項１３〜１５の何れか１項に記載の画像処理方法。
【請求項１７】  上記高周波係数変換ステップで用いる係数パターンは、周波数帯毎の係数パターンを含むことを特徴とする請求項１３〜１５の何れか１項に記載の画像処理方法。
【請求項１８】  対象画像は、放射線撮影により得られた画像を含むことを特徴とする請求項１２〜１５の何れか１項に記載の画像処理方法。
【請求項１９】  対象画像に対して周波数処理を施すためのプログラムであって、
対象画像から高周波係数を取得する高周波係数取得ステップと、
対象画像を構成する画素値に基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとをコンピュータに実行させるためのプログラム。
【請求項２０】  対象画像に対して周波数処理を施すためのプログラムであって、
対象画像の高周波係数を変更するための係数パターンを表示する表示ステップと、
上記表示ステップにより表示された係数パターンの中から任意の係数パターンを選択する選択ステップと、
対象画像から高周波係数を取得する高周波係数取得ステップと、
上記選択ステップにより選択された係数パターンに基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとをコンピュータに実行させるためのプログラム。
【請求項２１】  対象画像に対して周波数処理を施すためのプログラムであって、
対象画像の高周波係数を変更するための係数パターンを表示する表示ステップと、
上記表示ステップにより表示された係数パターンの中から任意の係数パターンを選択する選択ステップと、
対象画像の解析結果に基づいて、上記選択ステップにより選択された係数パターンを変更する解析ステップと、
対象画像から高周波係数を取得する高周波係数取得ステップと、
上記解析ステップにより得られた係数パターンに基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとをコンピュータに実行させるためのプログラム。
【請求項２２】  対象画像に対して周波数処理を施すためのプログラムであって、
対象画像の解析結果に基づいて、対象画像の高周波係数を変更するための係数パターンを変更する解析ステップと、
対象画像から高周波係数を取得する高周波係数取得ステップと、
上記解析ステップにより得られた係数パターンに基づいて、上記高周波係数取得ステップにより得られた高周波係数を変換する高周波係数変換ステップと、
上記高周波係数変換ステップにより変換された高周波係数に基づいて、対象画像の処理画像を取得する処理画像取得ステップとをコンピュータに実行させるためのプログラム。
【請求項２３】  請求項１９〜２２の何れか１項に記載のプログラムを記録したコンピュータ読み取り可能な記憶媒体。
【手続補正２】
【補正対象書類名】明細書
【補正対象項目名】００２５
【補正方法】変更
【補正の内容】
【００２５】
第１９の発明は、対象画像に対して周波数処理を施すためのプログラムであって、対象画像から高周波係数を取得する高周波係数取得ステップと、対象画像を構成する画素値に基づいて、上記高周波係数取得ステップにより得られた高周波係数を変換する高周波係数変換ステップと、上記高周波係数変換ステップにより変換された高周波係数に基づいて、対象画像の処理画像を取得する処理画像取得ステップとをコンピュータに実行させるためのプログラムである。
【手続補正３】
【補正対象書類名】明細書
【補正対象項目名】００２６
【補正方法】変更
【補正の内容】
【００２６】
第２０の発明は、対象画像に対して周波数処理を施すためのプログラムであって、対象画像の高周波係数を変更するための係数パターンを表示する表示ステップと、上記表示ステップにより表示された係数パターンの中から任意の係数パターンを選択する選択ステップと、対象画像から高周波係数を取得する高周波係数取得ステップと、上記選択ステップにより選択された係数パターンに基づいて、上記高周波係数取得ステップにより得られた高周波係数を変換する高周波係数変換ステップと、上記高周波係数変換ステップにより変換された高周波係数に基づいて、対象画像の処理画像を取得する処理画像取得ステップとをコンピュータに実行させるためのプログラムである。
【手続補正４】
【補正対象書類名】明細書
【補正対象項目名】００２７
【補正方法】変更
【補正の内容】
【００２７】
第２１の発明は、対象画像に対して周波数処理を施すためのプログラムであって、対象画像の高周波係数を変更するための係数パターンを表示する表示ステップと、上記表示ステップにより表示された係数パターンの中から任意の係数パターンを選択する選択ステップと、対象画像の解析結果に基づいて、上記選択ステップにより選択された係数パターンを変更する解析ステップと、対象画像から高周波係数を取得する高周波係数取得ステップと、上記解析ステップにより得られた係数パターンに基づいて、上記高周波係数取得ステップにより得られた高周波係数を変換する高周波係数変換ステップと、上記高周波係数変換ステップにより変換された高周波係数に基づいて、対象画像の処理画像を取得する処理画像取得ステップとをコンピュータに実行させるためのプログラムである。
【手続補正５】
【補正対象書類名】明細書
【補正対象項目名】００２８
【補正方法】変更
【補正の内容】
【００２８】
第２２の発明は、対象画像に対して周波数処理を施すためのプログラムであって、対象画像の解析結果に基づいて、対象画像の高周波係数を変更するための係数パターンを変更する解析ステップと、対象画像から高周波係数を取得する高周波係数取得ステップと、上記解析ステップにより得られた係数パターンに基づいて、上記高周波係数取得ステップにより得られた高周波係数を変換する高周波係数変換ステップと、上記高周波係数変換ステップにより変換された高周波係数に基づいて、対象画像の処理画像を取得する処理画像取得ステップとをコンピュータに実行させるためのプログラムである。